(57)【要約】【課題】必要性に応じて、吸音率を変化させることができるうえに、意匠的外観に優れた間仕切り壁を提供する。【解決手段】屋内空間を仕切る間仕切り壁１であって、複数の壁体１Ａ，・・・から成り、各壁体１Ａは、吸音率の低い遮音板３と、その縁部に左右の桟材７１，７２を介して吸音率の低い遮音板６が平行に設けられて空気層５が形成され、遮音板６の外側面に吸音率の高い吸音板４が添設されて成り、天井レール１２に滑車付き吊り具１３により回転可能且つ移動可能に吊設された構成とされている。【選択図】図２
2010024770.tif 000002
【特許請求の範囲】
【請求項１】
屋内空間を仕切る間仕切り壁であって、
表裏反転可能で且つ移動可能であり、表面と裏面との吸音率が異なることを特徴とする間仕切り壁。
【請求項２】
少なくとも２枚の石膏ボードから成る遮音板が用いられ、該遮音板の外側面に吸音率の低い側の面が形成されていることを特徴とする請求項１に記載の間仕切り壁。
【請求項３】
前記２枚の遮音板の間に空気層が設けられていることを特徴とする請求項２に記載の間仕切り壁。
【請求項４】
前記遮音板に添設された吸音板の外側面に布が積層されて、その外側面に吸音率の高い側の面が形成されていることを特徴とする請求項２又は３に記載の間仕切り壁。
【請求項５】
前記間仕切り壁は、複数の壁体から成り、これらの複数の壁体が、前記屋内空間の天井に設けられた天井レールに回転可能且つ移動可能に吊設されていることを特徴とする請求項１乃至４のいずれか一項に記載の間仕切り壁。
【請求項６】
前記複数の壁体の隣り合う一方の端面に凹部が形成され、他方の端面には凸部が形成されており、これらの凹部と凸部とが嵌合されることを特徴とする請求項５に記載の間仕切り壁。
【請求項７】
前記各壁体の隣り合う端面の少なくとも一方に、パッキング材が設けられていることを特徴とする請求項５又は６に記載の間仕切り壁。
【請求項８】
前記複数の壁体と前記屋内空間の天井及び床の少なくともいずれか一方との間には、当該複数の壁体を、所定箇所で固定するためのストッパーが設けられていることを特徴とする請求項５乃至７のいずれか一項に記載の間仕切り壁。
【発明の詳細な説明】
【技術分野】
【０００１】
本発明は、屋内空間を仕切る間仕切り壁に関するものである。
【背景技術】
【０００２】
従来から、屋内空間に、この屋内空間を仕切る間仕切り壁を設置して、複数の部屋を形成することがなされている。
【０００３】
また、特許文献１には、グラスウールが内蔵された回転可能且つ移動可能に吊設された複数の壁パネルから成る間仕切り壁が開示されている。
【０００４】
このような構成では、各壁パネルの両面が同一な吸音率であるため、複数の壁パネルから成る間仕切り壁の両面側ともに、単に同一な音響環境の部屋を形成することしかできない。
【０００５】
これに対し、特許文献２には、音楽室側の面を吸音率（残響時間）が調節可能な構成とした間仕切り壁が開示されている。
【０００６】
すなわち、間仕切り壁の音楽室側の面に開閉自在な遮蔽板を設けることで、様々な吸音率に調節可能とされている。
【特許文献１】特開２００５−１０５５６２号公報
【特許文献２】特開２００６−１３８０７８号公報
【発明の開示】
【発明が解決しようとする課題】
【０００７】
しかしながら、特許文献２に開示された間仕切り壁では、音楽室側の面における開閉自在な遮蔽板の存在により、意匠的外観に優れたものとは言えない。
【０００８】
そこで、本発明は、必要性に応じて、吸音率を変化させることができるうえに、意匠的外観に優れた間仕切り壁を提供することを目的としている。
【課題を解決するための手段】
【０００９】
前記目的を達成するために、本発明の間仕切り壁は、屋内空間を仕切る間仕切り壁であって、表裏反転可能で且つ移動可能であり、表面と裏面との吸音率が異なることを特徴とする。
【００１０】
ここで、少なくとも２枚の石膏ボードから成る遮音板が用いられ、該遮音板の外側面に吸音率の低い側の面が形成されているとよい。
【００１１】
また、前記２枚の遮音板の間に空気層が設けられていてもよい。
【００１２】
さらに、前記遮音板に添設された吸音板の外側面に布が積層されて、その外側面に吸音率の高い側の面が形成されているとよい。
【００１３】
また、前記間仕切り壁は、複数の壁体から成り、これらの複数の壁体が、前記屋内空間の天井に設けられた天井レールに回転可能且つ移動可能に吊設されているとよい。
【００１４】
ここで、前記複数の壁体の一方の端面に凹部が形成され、他方の端面には凸部が形成されており、これらの凹部と凸部とが嵌合されるとよい。
【００１５】
また、前記各壁体の隣り合う端面の少なくとも一方に、パッキング材が設けられているとよい。
【００１６】
さらに、前記複数の壁体と前記屋内空間の天井及び床の少なくともいずれか一方との間には、当該複数の壁体を、所定箇所で固定するためのストッパーが設けられているとよい。
【発明の効果】
【００１７】
このような本発明の間仕切り壁は、表裏反転可能で且つ移動可能であり、表面と裏面との吸音率が異なる構成とされている。
【００１８】
こうした構成なので、吸音率の低い側の面側には、コンサートホール並みの響き感が得られる部屋を形成することができる。
【００１９】
これに対し、吸音率の高い側の面側には、静かな部屋を形成することができる。
【００２０】
そのうえ、必要性に応じて、吸音率の低い側の面と吸音率の高い側の面とを反転させるだけで、容易に吸音率の異なる部屋とすることができる。
【００２１】
ここで、少なくとも２枚の石膏ボードから成る遮音板が用いられ、遮音板の外側面に吸音率の低い側の面が形成されている場合は、その外側面を平面形状にすることができるため、意匠的外観に優れたものとすることができる。
【００２２】
また、２枚の遮音板の間に空気層が設けられている場合は、空気層がバネのように働き、音の振動を吸収するため、軽量で、遮音性能に優れたものとすることができる。
【００２３】
さらに、遮音板に添設された吸音板の外側面に布が積層されて、その外側面に吸音率の高い側の面が形成されている場合は、その外側面を平面形状にすることができるため、意匠的外観に優れたものとすることができる。
【００２４】
さらに、間仕切り壁が、複数の壁体から成り、これらの複数の壁体が、屋内空間の天井に設けられた天井レールに回転可能且つ移動可能に吊設されている場合は、複数の壁体を、適宜、隣り合う中間壁内などへ収納したり、９０度回転させ、部屋の壁側に重ねたりすることができ、屋内空間を間仕切りの無い大空間にすることができる。
【００２５】
ここで、複数の壁体の隣り合う一方の端面に凹部が形成され、他方の端面には凸部が形成されており、これらの凹部と凸部とが嵌合される場合は、壁体間の隙間を無くすことができるため、間仕切り壁の両面側の音響環境及び遮音性能を確保することができる。
【００２６】
また、各壁体の隣り合う端面の少なくとも一方に、パッキング材が設けられている場合は、壁体間の気密性を向上させることができるため、間仕切り壁の両面側の音響環境及び遮音性能をより確保することができる。
【００２７】
さらに、複数の壁体と屋内空間の天井及び床の少なくともいずれか一方との間に、複数の壁体を、所定箇所で固定するためのストッパーが設けられている場合は、壁体がストッパーで固定されることにより、グラツキの無い間仕切り壁とすることができる。
【発明を実施するための最良の形態】
【００２８】
以下、本発明を実現する最良の形態を、図面に示す実施例１，２に基づいて説明する。
【実施例１】
【００２９】
まず、図１〜図５に基づいて、実施例１の間仕切り壁について説明する。
【００３０】
この実施例１の間仕切り壁１は、図１に示したように、複数の壁体１Ａ，・・・から成り、これらの複数の壁体１Ａ，・・・は、屋内空間の天井１１に設けられた天井レール１２に、滑車付きの吊り具１３により、回転可能且つ移動可能にそれぞれ吊設されている。
【００３１】
ここで、この壁体１Ａは、図２に示したように、吸音率の低い（反射率の高い）遮音板３と、この遮音板３に空気層５を挟んで平行に設けられた同じく吸音率の低い（反射率の高い）遮音板６と、この遮音板６に添設された吸音率の高い（反射率の低い）吸音板４とから主に構成されている。
【００３２】
ここで、この遮音板３は、厚さ１２．５ｍｍの石膏ボードから成る。
【００３３】
また、遮音板３の外側面には、意匠的外観を良くするために、ビニールクロスなどの壁布３１が貼設されている。
【００３４】
さらに、遮音板３の内側面には、縁部に、厚さ４０ｍｍの木材などから成る左右の桟材７１，７２を介して、厚さ９．５ｍｍの石膏ボードから成る遮音板６が平行に設けられ、空気層５が形成されている。
【００３５】
また、右側の桟材７１の外側端面には、凹部７１ａが設けられているとともに、パッキング材１４，１４が垂直方向に延設されている。
【００３６】
さらに、左側の桟材７２の外側端面には、右側の桟材７１の凹部７１ａに嵌り込む大きさの凸部７２ａが設けられている。
【００３７】
また、遮音板６の外側面には、厚さ１２ｍｍで、密度が９６ｋｇ／ｍ３のグラスウールから成る吸音板４が添設されている。
【００３８】
さらに、吸音板４の外側面には、意匠的外観を良くするために、不織布などの壁布４１が、吸音板４の外縁に設けた木材などから成る枠材８，８により張設されている。
【００３９】
また、滑車付きの吊り具１３は、図３に示したように、矩形筒状の枠材１３ａの略中央に設けられた支持部１３ｂの垂直な回転孔１３ｃに回転可能に挿通した回転軸ボルト１３ｄの下部の平板状の固定金具１３ｅが、各壁体１Ａの上面の略中央に固定して設けられ、各壁体１Ａは、回転可能とされている。
【００４０】
そして、枠材１３ａ内の左右の隙間には、滑車１３ｆ，１３ｆがそれぞれ設けられており、この滑車付きの吊り具１３は、リップ付き溝形断面の天井レール１２内を移動可能とされている。
【００４１】
これにより、各壁体１Ａは、天井レール１２の長手方向に移動可能とされている。
【００４２】
さらに、各壁体１Ａの右下及び右上には、ストッパーとしての落し金具（所謂フランス落し）１５，１６がそれぞれ設けられている。
【００４３】
そして、複数の壁体１Ａ，・・・が、互いに密着した状態としたとき、床２３に設けた落し穴２３ａ，・・・に、各壁体１Ａの落し金具１５をそれぞれ落とし込む。
【００４４】
また、天井レール１２に設けた落し穴（図示せず）にも、各壁体１Ａの落し金具１６をそれぞれ落とし込む。
【００４５】
これにより、複数の壁体１Ａ，・・・は、互いに密着した状態でグラツキが無いように固定される。
【００４６】
次に、この実施例１の間仕切り壁１を適用した建物Ｂについて説明する。
【００４７】
図４は、建物Ｂの１階部分の概略構成を示している。
【００４８】
すなわち、建物Ｂの１階部分の屋内空間２１が２つの間仕切り壁１，１によって仕切られて、リビングルーム２１Ａとダイニング・キッチンルーム２１Ｂと寝室２１Ｃとの３つの部屋が形成されている。
【００４９】
ここで、リビングルーム２１Ａは、家族がテレビを見るなどして団欒する部屋として利用される。
【００５０】
また、ダイニング・キッチンルーム２１Ｂは、料理を作ったり、家族が食事したりする部屋として利用される。
【００５１】
さらに、リビングルーム２１Ａとダイニング・キッチンルーム２１Ｂとの間の間仕切り壁１は、リビングルーム２１Ａ側に、遮音板３，・・・の外側面が向くように設置されている。
【００５２】
これにより、リビングルーム２１Ａ内で、テレビを見たり、音楽を聴いたりすると、コンサートホール並みの響き感が得られる。
【００５３】
そのうえ、間仕切り壁１により遮音されているため、階段を介して、２階に居る他の家族などに騒音による迷惑をかけることもない。
【００５４】
また、リビングルーム２１Ａとダイニング・キッチンルーム２１Ｂとの間の間仕切り壁１は、一部の壁体１Ａ，・・・を隣り合う中間壁１７内の収納スペース（図示せず）へ収納する。
【００５５】
そして、残る壁体１Ａ，・・・は、９０度回転させ、内壁１８側に重ねると、リビングルーム２１Ａとダイニング・キッチンルーム２１Ｂとが連続した大空間が形成される。
【００５６】
さらに、寝室２１Ｃは、来客が泊まる部屋などとして利用される。
【００５７】
ここで、ダイニング・キッチンルーム２１Ｂと寝室２１Ｃとの間の間仕切り壁１は、来客が泊まることなどがない通常時は、壁体１Ａ，・・・を、９０度回転させ、内壁１９側に重ねて開放状態としておいてもよい。
【００５８】
また、リビングルーム２１Ａとダイニング・キッチンルーム２１Ｂとの間の間仕切り壁１及びダイニング・キッチンルーム２１Ｂと寝室２１Ｃとの間の間仕切り壁１を開放状態とすると、ホームパーティなどが行える１階部分の大半が連続した大空間が形成される。
【００５９】
図５は、建物Ｂの２階部分の概略構成を示している。
【００６０】
すなわち、建物Ｂの２階部分の屋内空間２２が１つの間仕切り壁１によって仕切られて、子供部屋２２Ａと子供部屋２２Ｂとの２つの部屋が形成されている。
【００６１】
ここで、子供部屋２２Ａ，２２Ｂは、子供が勉強したり、寝起きしたりする部屋としてそれぞれ利用される。
【００６２】
また、子供達が幼少期の間は、子供部屋２２Ａと子供部屋２２Ｂとの間の間仕切り壁１は、壁体１Ａ，・・・を、９０度回転させ、内壁２０側に重ねて開放状態としておいてもよい。
【００６３】
さらに、子供達が中学生になるなど、互いにプライベートが必要な年齢に達すると、閉鎖状態にするとよい。
【００６４】
また、子供部屋２２Ａと子供部屋２２Ｂとの間の間仕切り壁１は、互いの必要性に応じて、遮音板３，・・・の外側面の向きを適宜変更すればよい。
【００６５】
すなわち、テレビを見たり、音楽を聴いたりするときは、コンサートホール並みの響き感が得られるように遮音板３，・・・の外側面が向くようにするとよい。
【００６６】
これとは逆に、勉強などをするときは、静かな環境となるように吸音板４，・・・の外側面が向くようにするとよい。
【００６７】
次に、この実施例１の間仕切り壁の作用効果について説明する。
【００６８】
このような実施例１の間仕切り壁１は、表裏反転可能で且つ移動可能であり、表面と裏面との吸音率が異なる構成とされている。
【００６９】
こうした構成なので、吸音率の低い側の面（残響時間が約０．９秒と長い面）側には、コンサートホール並みの響き感が得られる部屋を形成することができる。
【００７０】
これに対し、吸音率の高い側の面（残響時間が約０．４秒と短い面）側には、静かな部屋を形成することができる。
【００７１】
そのうえ、必要性に応じて、吸音率の低い側の面と吸音率の高い側の面とを反転させるだけで、容易に吸音率の異なる部屋とすることができる。
【００７２】
ここで、２枚の石膏ボードから成る遮音板３，６が用いられ、遮音板３の外側面に壁布３１が貼設されて吸音率の低い側の面が形成されているので、その外側面を平面形状にすることができるため、意匠的外観に優れたものとすることができる。
【００７３】
また、２枚の遮音板３，６の間に空気層５が設けられているので、空気層５がバネのように働き、音の振動を吸収するため、軽量で、遮音性能に優れたものとすることができる。
【００７４】
さらに、遮音板６に添設された吸音板４の外側面に壁布４１が張設され積層されて、その外側面に吸音率の高い側の面が形成されているので、その外側面を平面形状にすることができるため、意匠的外観に優れたものとすることができる。
【００７５】
さらに、間仕切り壁１が、複数の壁体１Ａ，・・・から成り、これらの複数の壁体１Ａ，・・・が、屋内空間の天井１１に設けられた天井レール１２に滑車付き吊り具１３，・・・により、それぞれ回転可能且つ移動可能に吊設されている。
【００７６】
このため、複数の壁体１Ａ，・・・を、適宜、隣り合う中間壁内などへ収納したり、９０度回転させ、部屋の壁側に重ねたりすることができ、屋内空間を間仕切りの無い大空間にすることができる。
【００７７】
ここで、複数の壁体１Ａ，・・・には、左右の端面に凹部７１ａ及び凸部７２ａがそれぞれ形成されており、これらの凹部７１ａと凸部７２ａとが嵌合されるので、壁体１Ａ，・・・間の隙間を無くすことができる。
【００７８】
このため、間仕切り壁１の両面側の音響環境及び遮音性能を確保することができる。
【００７９】
また、各壁体１Ａの右側の端面に、パッキング材１４，１４が垂直方向に延設されているので、壁体１Ａ，・・・間の気密性を向上させることができるため、間仕切り壁１の両面側の音響環境及び遮音性能をより確保することができる。
【００８０】
さらに、複数の壁体１Ａ，・・・と屋内空間の天井１１及び床２３との間に、壁体１Ａ，・・・を、互いに密着した状態で固定するためのストッパーとしての落し金具１５，１６がそれぞれ設けられている。
【００８１】
このため、複数の壁体１Ａ，・・・が、密着した状態で、落し金具１５，・・・が床２３の落し穴２３ａ，・・・に落とし込まれ、落し金具１６，・・・が天井レール１２の落し穴に落とし込まれて、固定されることにより、グラツキの無い間仕切り壁１とすることができる。
【実施例２】
【００８２】
次に、図６に基づいて、実施例２の間仕切り壁について説明する。なお、上記実施例１で説明した内容と同一乃至均等な部分の説明については同一符号を付して説明する。
【００８３】
この実施例２の間仕切り壁では、壁体１０Ａが、図６に示したように、空気層５が設けられておらず、遮音板３，６が重ねられて、これらの外縁部がアルミニウムなどから成る断面コ字形の嵌め込み枠材９，９により、一体的に固定されていることが、上記実施例１と主に異なる。
【００８４】
この実施例２の間仕切り壁では、空気層５が設けられていないので、実施例１の間仕切り壁１に比べて、その分、薄型にすることができる。
【００８５】
なお、他の構成及び作用効果については、上記実施例１と略同様であるので説明を省略する。
【００８６】
以上、図面を参照して、本発明の最良の実施の形態について実施例１，２をもとに詳述してきたが、具体的な構成は、上記した実施例１，２に限らず、本発明の要旨を逸脱しない程度の設計的変更は、本発明に含まれる。
【００８７】
例えば、上記実施例１，２では、遮音板３，６として石膏ボードを使用し、吸音板４としてはグラスウールを使用したが、これに限定されない。
【００８８】
すなわち、遮音板３，６としては、吸音率の低い（反射率の高い）部材を使用し、吸音板４としては、この遮音板３，６よりも吸音率の高い（反射率の低い）部材を使用して、表裏反転可能で且つ移動可能であり、表面と裏面との吸音率が異なる構成とすればよい。
【図面の簡単な説明】
【００８９】
【図１】実施例１の間仕切り壁の概略構成を示す正面図である。
【図２】実施例１の壁体の概略構成を示す水平断面図である。
【図３】実施例１の滑車付き吊り具の概略構成を示す（ａ）は平面図であり、（ｂ）は正面図である。
【図４】実施例１の間仕切り壁を備えた建物の１階部分の概略構成を示す水平断面図である。
【図５】実施例１の間仕切り壁を備えた建物の２階部分の概略構成を示す水平断面図である。
【図６】実施例２の壁体の概略構成を示す水平断面図である。
【符号の説明】
【００９０】
Ｂ      建物
１      間仕切り壁
１Ａ，１０Ａ      壁体
２１，２２      屋内空間
３      遮音板
４      吸音板
５      空気層
６      遮音板
７１ａ      凹部
７２ａ      凸部
１１      天井
２３      床
１２      天井レール
１４      パッキング材
１５，１６      落し金具（ストッパー）
【図１】
2010024770.tif 000003
【図２】
2010024770.tif 000004
【図３】
2010024770.tif 000005
【図４】
2010024770.tif 000006
【図５】
2010024770.tif 000007
【図６】
2010024770.tif 000008